(57)【要約】【課題】  カメラ等に組み込んだ場合に、無駄なスペースが小さく、突出がほとんどなく小型軽量かつ精度が高いリアフォーカスレンズユニットを提供すること。【解決手段】  被写体側の第１の固定レンズ１１と、ズームレンズ２１と、第２の固定レンズ３１、フォーカスレンズ４１と、ズームレンズ移動環２０と、フォーカスレンズ移動環４０と、ズームレンズ駆動モータ７０と、フォーカスレンズ駆動モータ８０とを備え、被写体側の光が第１の固定レンズ１１、ズームレンズ２１、第２の固定レンズ３１、フォーカスレンズ４１の順に導かれる４群又は５群のレンズ群からなるレンズユニット１であって、前記ズームレンズ駆動モータ７０はレンズユニット１の右側でかつ下側の結像側にモータ本体７２が配置され、前記フォーカスレンズ駆動モータ８０は左側の下側の被写体側にモータ本体８２が配置されていることを特徴とする。【選択図】        図１
2006064838.tif 000002
【特許請求の範囲】
【請求項１】
被写体側に固定された第１の固定レンズと、ズームレンズと、第２の固定レンズと、フォーカスレンズと、
第１の固定レンズを保持する第１の固定鏡筒と、
ズームレンズを保持し光軸に沿って移動可能とされるズームレンズ移動環と、
第２の固定レンズを保持する第２の固定鏡筒と、
フォーカスレンズを保持し光軸に沿って移動可能とされるフォーカスレンズ移動環と、
結像側に位置する第３の固定鏡筒と、
前記ズームレンズ移動環を移動させるズームレンズ駆動モータと、
前記フォーカスレンズ移動環を移動させるフォーカスレンズ駆動モータとを備え、
被写体側からの光が第１の固定レンズ、ズームレンズ、第２の固定レンズ、フォーカスレンズの順に導かれる４群又は５群のレンズ群からなるリアフォーカスレンズユニットであって、
前記レンズ群の光軸を通る第１の基準面及び該光軸を通り、かつ該第１の基準面に直交する第２の基準面を設定したときに、
前記ズームレンズ駆動モータは前記第１の基準面の一方側でかつ前記第２の基準面の一方側の結像側にモータ本体が配置され、
前記フォーカスレンズ駆動モータは前記第１の基準面の他方側でかつ前記第２の基準面の一方側の被写体側にモータ本体が配置されていることを特徴とするリアフォーカスレンズユニット。
【請求項２】
請求項１記載のリアフォーカスレンズユニットであって、
前記フォーカスレンズ駆動モータ又は前記ズームレンズ駆動モータの少なくとも一つは、モータ本体の第１の基準面に沿う方向の長さが第２の基準面に沿う方向の長さより短く形成されていることを特徴とするリアフォーカスレンズユニット。
【請求項３】
請求項１又は請求項２記載のリアフォーカスレンズユニットであって、
前記光軸Ｌに垂直な面からみた場合に、前記第２の基準面の一方側の外形が矩形に形成され、かつ他方側の外形が半円又は円弧状の形状に形成されていることを特徴とするリアフォーカスレンズユニット。
【請求項４】
請求項１から請求項３のいずれかに記載のリアフォーカスレンズユニットであって、
アイリスユニットは駆動部本体が第１の基準面に関して略対称とされかつ前記第２の基準面他方側半円又は円弧状の形状の領域に配置されるとともに、前記駆動部本体が固定鏡筒内壁より大きい部分は前記第２の固定鏡筒と第３の固定鏡筒の少なくともひとつの固定鏡筒の壁部に前記駆動部本体の逃し部が形成され、アイリスユニットが固定鏡筒に半埋没状態に収納されることを特徴とするリアフォーカスレンズユニット。
【請求項５】
請求項１から請求項４のいずれかに記載のリアフォーカスレンズユニットであって、
前記ズームレンズ移動環と前記フォーカスレンズ移動環の移動方向を保持する２本のガイドバーが、前記第１の基準面に関して対称の位置でかつ前記第２の基準面の近傍にて前記光軸に平行に延在するように配置され、これらガイドバーは一方端が第１の固定レンズを保持する第１の固定鏡筒に、他方端が第３の固定鏡筒に固定されるとともに、
前記ズームレンズ移動環と前記フォーカスレンズ移動環に設けられ前記ガイドバーと同軸とされるスリーブに挿入されていることを特徴とするリアフォーカスレンズユニット。
【請求項６】
請求項１から請求項５のいずれかに記載のリアフォーカスレンズユニットであって、
前記第１の固定鏡筒と、前記第３の固定鏡筒とは、
第２の固定鏡筒を介して固定され、
これら固定鏡筒は、それぞれ対向する面に相互に係合する凸又は凹形状の位置決め部材を備えていることを特徴とするリアフォーカスレンズユニット。
【請求項７】
請求項１から請求項６のいずれかに記載のリアフォーカスレンズユニットであって、
前記第１の固定鏡筒と、前記第２の固定鏡筒と、前記第３の固定鏡筒とは、
それぞれの固定鏡筒を貫通する３本の固定ネジにて締結され、かつこれら固定ネジは同一円周上に略等分に配置されていることを特徴とするリアフォーカスレンズユニット。
【請求項８】
請求項１から請求項７のいずれかに記載のリアフォーカスレンズユニットであって、
前記固定ネジは、前記光軸に垂直な面からみた場合に、１本が前記ズームレンズ駆動モータのモータ本体と前記フォーカスレンズ駆動モータのモータ本体との間に配置され、
かつ他の２本の固定ネジは前記第１の基準面に関して対称の位置でかつ前記第２の基準面の近傍に配置され、
好ましくは、これら２本の固定ネジのそれぞれと前記モータ本体の間に配置された固定ネジとを結ぶ線上又はその近傍に前記ガイドバーが位置していることを特徴とするリアフォーカスレンズユニット。
【発明の詳細な説明】
【技術分野】
【０００１】
本発明は、ビデオカメラ、スチルカメラ等の撮像装置に用いるレンズ鏡筒に関する。
【背景技術】
【０００２】
周知のように、近年ビデオカメラは小型化が進み、それに伴い小型の構成ユニットや部品が必要とされている。
そのなかでも、例えばレコーダユニットの上部にレンズユニットを配置するレイアウトを例にすると、外形に突出がなく構成部品の搭載密度を高めてデッドスペースの少ない構成として、上半分が円弧上で下半分が直方体とされ、かつ駆動モータ等の突出がない形状のものが求められている。
そこで、上記のような課題を解決するため、以下のようなレンズユニットが提案されている（例えば、特許文献１参照。）。
【特許文献１】特開２００２−１６９０７４号公報
【０００３】
図５に示すリアフォーカスレンズユニット（以下、レンズユニットという。）は、特開２００２−１６９０７４号公報に示された従来技術の鏡筒であって、位置決めピンやネジ止め箇所を減らして小型化し、上半分が円弧上で下半分が略直方体とされたものであり、符号１０１は被写体側にてレンズが固定されたいわゆる前玉となる第１レンズ群、符号１０２はバリエーターレンズ群、符号１０３は固定のリアフォーカスレンズ群、符号１０４はフォーカシングレンズ群を示している。
また、符号１０５は第１レンズ群１０１を保持する前玉用鏡筒１０５で、図に示すように略箱型形状に形成されていて、前面に第１レンズ群１０１を保持するとともに、上面及び結像方向に開口面を有し、左右側面、下面には結像面方向に延長された側面をしている。
【０００４】
また、前玉鏡筒１０５にはガイド軸１０６ａ、１０６ｂの外径を精度良く嵌合するための図示しない基準穴が成形されている。
一方、後部鏡筒１０７は、図に示すように、略半円形の屋根形状に形成された上蓋部の後端部に後端壁部１０７ｂが一体に形成されており、後端壁部１０７ｂにはローパスフィルター保持部とＣＣＤ保持部及び基準穴１０７ｄ、ｅを有し、左右方向及び光軸の被写体方向に開口面を有し、光軸の被写体方向に延長された前玉鏡筒１０５との当接基準面１０７ａを支持するひとつの側面を有している。
【０００５】
上記構成のレンズ鏡筒は、２本のガイド軸１０６ａ、１０６ｂにV移動環１０８、中間枠１１２、RR移動環１０９を貫通保持した状態で前玉鏡筒１０５の係合部に中間枠１１２を光軸に直交する方向から嵌合させ、その後ガイド軸１０６ａ、１０６ｂを前玉鏡筒１０５の前記基準孔に光軸方向から挿入し、後部鏡筒１０７を光軸方向から組込み固定することによって組立てられる。
さらに、その後、ＰＺモータ１１０、ＡＦモータ１１１、ＩＧメータ１１３を光軸に直交する方向から組み込んでレンズユニット１００として完成する。
【発明の開示】
【発明が解決しようとする課題】
【０００６】
しかし、上記のような構成のレンズ鏡筒にあっては、上下の鏡筒同士の精度合せが難しく、補正にも時間が多くかかり、量産し難いために品質が安定し難いという問題があった。また、F環のフォーカスラックにフォーカスレンズ駆動モータを適切に係合させようとすると、距離が近すぎてフォーカスレンズ駆動モータをレンズユニットの後方から突出させざるを得ないという問題があった。また、モータ本体を固定鏡筒の内部にコンパクトに配置しようとすると、モータ本体が被写体側から入射した光の光路と近すぎて、反射ゴーストが生じるという問題があった。
【０００７】
本発明は、上記のような従来の問題に鑑みなされたものであって、無駄なスペースを少なくし、小型でかつ外側に突出部が少ないにも関わらず反射ゴーストが発生せず、また、精度良く効率的にかつ安定した品質で組立可能なレンズユニットを提供することを目的とするものである。
【課題を解決するための手段】
【０００８】
本発明は、上記のような課題を解決するために、以下のような手段を採用している。
請求項１記載の発明は、被写体側に固定された第１の固定レンズと、ズームレンズと、第２の固定レンズと、フォーカスレンズと、第１の固定レンズを保持する第１の固定鏡筒と、ズームレンズを保持し光軸に沿って移動可能とされるズームレンズ移動環と、第２の固定レンズを保持する第２の固定鏡筒と、フォーカスレンズを保持し光軸に沿って移動可能とされるフォーカスレンズ移動環と、結像側に位置する第３の固定鏡筒と、前記ズームレンズ移動環を移動させるズームレンズ駆動モータと、前記フォーカスレンズ移動環を移動させるフォーカスレンズ駆動モータとを備え、被写体側からの光が第１の固定レンズ、ズームレンズ、第２の固定レンズ、フォーカスレンズの順に導かれる４群又は５群のレンズ群からなるリアフォーカスレンズユニットであって、前記レンズ群の光軸を通る第１の基準面及び該光軸を通り、かつ該第１の基準面に直交する第２の基準面を設定したときに、前記ズームレンズ駆動モータは前記第１の基準面の一方側でかつ前記第２の基準面の一方側の結像側にモータ本体が配置され、前記フォーカスレンズ駆動モータは前記第１の基準面の他方側でかつ前記第２の基準面の一方側の被写体側にモータ本体が配置されていることを特徴とする。
【０００９】
請求項１に係るリアフォーカスレンズユニットによれば、レンズ群の光軸を通りかつ光軸にて互いに直交する第１の基準面と第２の基準面を設定したときに、ズームレンズ駆動モータは第１の基準面の一方側でかつ第２の基準面の一方側にて結像側にモータ本体が配置され、フォーカスレンズ駆動モータは第１の基準面の他方側でかつ第２の基準面の一方側にて被写体側にモータ本体が配置されている。言い換えると、例えば、第１の基準面が左右を区分する面の場合には、リアフォーカスレンズユニットを光軸に沿って被写体側から見た場合に、ズームレンズ駆動モータのモータ本体は左下側の結像側に配置され、フォーカスレンズ駆動モータのモータ本体は右下側の被写体に配置される。したがって、それぞれのモータ本体が左右方向に干渉しないので、リアフォーカスレンズユニットの左右方向の大きさを小さくすることができる。
【００１０】
また、フォーカスレンズ駆動モータのモータ本体を被写体側に配置することで、駆動モータとフォーカスレンズ移動環との距離を適切に確保して接続することができるので、フォーカスレンズ駆動モータをリアフォーカスレンズユニットの前面から突出することなく、リアフォーカスレンズユニット内に収納することができる。
【００１１】
同様に、ズームレンズ駆動モータを被写体側のモータ本体を結像側に配置することで、駆動モータとズームレンズ移動環との距離が適切に確保して接続することができるので、ズームレンズ駆動モータがリアフォーカスレンズユニットの後面から突出することなく、リアフォーカスレンズユニット内に収納することができる。
そのため、小型のリアフォーカスレンズユニットを確保することができる。
【００１２】
請求項２記載の発明は、請求項１記載のリアフォーカスレンズユニットであって、前記フォーカスレンズ駆動モータ又は前記ズームレンズ駆動モータの少なくとも一つは、モータ本体の第１の基準面に沿う方向の長さが第２の基準面に沿う方向の長さより短く形成されていることを特徴とする。
【００１３】
請求項２に係るリアフォーカスレンズユニットによれば、フォーカスレンズ駆動モータ又はズームレンズ駆動モータの少なくとも一つは、光軸に沿った方向から見たときにモータ本体の第１の基準面に沿う方向の長さが第２の基準面に沿う方向の長さより短く、例えば、上下方向に短い小判型や長円型に形成されているため、モータ本体が円型の場合に比較するとモータ本体の上側（光軸側）の面と光軸との間の上下方向の距離（第１の基準面に沿う方向の距離）が大きく確保される。その結果、モータ本体を光軸に近接するように配置した場合であっても、モータ本体が光路に干渉し難く、反射ゴーストの発生が抑制される。
【００１４】
請求項３記載の発明は、請求項１又は請求項２記載のリアフォーカスレンズユニットであって、前記光軸に垂直な面からみた場合に、前記第２の基準面の一方側の外形が矩形に形成され、かつ他方側の外形が半円又は円弧を含む形状に形成されていることを特徴とする。
【００１５】
請求項３に係るリアフォーカスレンズユニットによれば、光軸に垂直な面から見た場合に、第２の基準面の一方側の外形が矩形に形成され、かつ他方側の外形が略半円又は円弧状に形成されている。言い換えると、例えば、光軸に沿ってみた場合に、上半分が半円又は円弧状で、下半分が矩形とされているので、ビデオカメラ等に組み込んだ際に外側への凸部がほとんどなく小型で収納性、取扱性のよいビデオカメラ等にすることができる。
【００１６】
請求項４記載の発明は、アイリスユニットは駆動部が第１の基準面に関して略対称とされかつ前記第２の基準面他方側半円又は円弧状の形状の領域に配置されるとともに、前記駆動部本体が固定鏡筒内壁より大きい部分は前記第２の固定鏡筒と第３の固定鏡筒の少なくともひとつの固定鏡筒の壁部に前記駆動部本体の逃し部が形成され、アイリスユニットが固定鏡筒に半埋没状態に収納されることを特徴とする。
【００１７】
請求項４に係るリアフォーカスレンズユニットによれば、アイリスユニットの駆動部が第１の基準面に関して略対称とされかつ前記第２の基準面他方側半円又は円弧状の形状の領域に配置されているので、反射ゴーストが発生しにくい。また、駆動部本体が結像側に配置されることにより、配置が容易になり、より好適である。
また、駆動部本体が固定鏡筒内壁より大きい部分は、前記第２の固定鏡筒と第３の固定鏡筒の少なくともひとつの固定鏡筒の壁部に前記駆動部本体の逃し部が形成され、アイリスユニットが固定鏡筒に半埋没状態に収納されるので、その部分について鏡筒の壁部が不要とされ鏡筒肉厚分だけ、リアフォーカスレンズユニットが小型化される。また、そうすることで、アイリスユニットの概ね全体が半円又は円弧を含む形状の領域内に収納されるので、ビデオカメラ等に組み込んだ際に外側への凸部がほとんどなくビデオカメラ等としての収納性や取扱性が向上する。
【００１８】
請求項５記載の発明は、請求項１から請求項４のいずれかに記載のリアフォーカスレンズユニットであって、前記ズームレンズ移動環と前記フォーカスレンズ移動環の移動方向を保持する２本のガイドバーが、前記第１の基準面に関して対称の位置でかつ前記第２の基準面の近傍にて前記光軸に平行に延在するように配置され、これらガイドバーは一方端が第１の固定レンズを保持する第１の固定鏡筒に、他方端が第３の固定鏡筒に固定されるとともに、前記ズームレンズ移動環と前記フォーカスレンズ移動環に設けられ前記ガイドバーと同軸とされるスリーブに挿入されていることを特徴とする。
【００１９】
請求項５に係るリアフォーカスレンズユニットによれば、ガイドバーの一方端が第１の固定鏡筒に、他方端が第３の固定鏡筒に固定されているので、構造が簡単で、組立性が良く、かつガイドバーの両端で確実に固定される。
また、２本のガイドバーが、第１の基準面に関して対称の位置でかつ第２の基準面の近傍に、例えばリアフォーカスレンズユニットの左右対称かつレンズの光軸近傍の高さにて、光軸に平行に配置されているので、ズームレンズ移動環とフォーカスレンズ移動環を光軸に沿ってガタツキなくスムースにかつ正確に移動させることができる。
ズームレンズ移動環とフォーカスレンズ移動環とにガイドバーと同軸のスリーブが設けられ、スリーブがガイドバーに沿って動くので、ズームレンズ移動環とフォーカスレンズ移動環が光軸に沿って、スムースかつ正確な動作が可能となり、また光軸を正確に維持できる。
さらに、スリーブがあることで摺動時の外力や、ガイドバーと交差する方向の外力にも強く、また組立性がよい。
【００２０】
請求項６記載の発明は、請求項１から請求項５のいずれかに記載のリアフォーカスレンズユニットであって、前記第１の固定鏡筒と、前記第３の固定鏡筒とは、第２の固定鏡筒を介して固定され、これら固定鏡筒は、それぞれ対向する面に相互に係合する凸又は凹形状の位置決め部材を備えていることを特徴とする。
【００２１】
請求項６に係るリアフォーカスレンズユニットによれば、第１の固定鏡筒と、第２の固定鏡筒と、第３の固定鏡筒には、他の固定鏡筒と対向する面に相互に係合する凸又は凹形状の位置決め部材が設けられている。
したがって、隣り合う固定鏡筒は、位置決め部材によって正確かつ確実に相互の位置関係が確保され、各固定鏡筒に対して光軸を正確に位置させることができる。
また、位置決めを対向する面に同軸的に配置することで、位置決めのスペースが１対分でよく配置スペースを抑制することができる。
また、位置決め部材が、相互に係合する凸又は凹形状により構成されているので、組立時に位置決めが容易でかつ高い位置精度が得られる。また、その後の組立作業を容易にすることができる。
【００２２】
請求項７記載の発明は、請求項１から請求項６のいずれかに記載のリアフォーカスレンズユニットであって、前記第１の固定鏡筒と、前記第２の固定鏡筒と、前記第３の固定鏡筒とは、それぞれの固定鏡筒を貫通する３本の固定ネジにて締結され、かつこれら固定ネジは同一円周上に略等分に配置されていることを特徴とする。
【００２３】
請求項７に係るリアフォーカスレンズユニットによれば、第１の固定鏡筒と第２の固定鏡筒と第３の固定鏡筒とが、それら固定鏡筒を貫通する３本の固定ネジにて締結されているので、光軸に沿った方向に対して各固定鏡筒を強固に締結、固定することができる。
その結果、各駆動モータによる駆動力や振動が発生しても、リアフォーカスレンズユニットは堅固に固定され、振動の影響が抑制される。
【００２４】
また、光軸に垂直な面からみた場合に、３本の固定ネジの配置が同一円周上に略等分に、例えば略正三角形とされているので、力学的にも安定し、それぞれの固定ネジにかかる外力や振動を分散することができる。
また、それぞれのネジ間距離も比較的大きく設けられるので、組立性、特に自動組立時の組立性が良好である。
【００２５】
請求項８記載の発明は、請求項１から請求項７のいずれかに記載のリアフォーカスレンズユニットであって、前記ネジは、前記光軸に垂直な面からみた場合に、１本の固定ネジが前記ズームレンズ駆動モータのモータ本体と前記フォーカスレンズ駆動モータのモータ本体との間に配置され、かつ他の２本の固定ネジは前記第１の基準面に関して対称の位置でかつ前記第２の基準面の近傍に配置され、好ましくは、これら２本の固定ネジのそれぞれと前記モータ本体の間に配置された固定ネジとを結ぶ線上又はその近傍に前記ガイドバーが位置していることを特徴とする。
【００２６】
請求項８に係るリアフォーカスレンズユニットによれば、１本が前記ズームレンズ駆動モータのモータ本体と前記フォーカスレンズ駆動モータのモータ本体の中間に配置されているので、固定鏡筒に作用する駆動モータが駆動による外力及びモータ回転による振動の影響を効率的に抑制し、リアフォーカスレンズユニットの固定を安定して保持することができる。また、駆動モータの一方のみが駆動した場合であっても、上記の外力の影響を駆動モータ間に配置した１本の固定ネジで効率的に抑制することができる。
【００２７】
また、２本のネジは前記第１の基準面に関して対称の位置でかつ前記第２の基準面の近傍に配置されているので、アイリスユニットに生じる力や振動から固定鏡筒を効率的に保持する。
また、これら２本の固定ネジとモータ本体間に配置する固定ネジとを結んだ線上又はその近傍にガイドバーを配置することで、光軸に垂直な面からみた場合にガイドバーがその両側にて固定されるので、ガイドバーに生じる摺動抵抗や振動の影響を極力小さくすることができる。
【発明の効果】
【００２８】
本発明に係るリアフォーカスレンズユニットによれば、カメラ等に組み込んだ場合に無駄なスペースが小さく、駆動モータやアイリスユニットの外形からの突出がほとんどなく小型軽量かつ精度が高く反射ゴーストの発生がないリアフォーカスレンズユニットが得られる。また、構造が簡単にも関わらず精度が高く、容易に組立てることができる。
【発明を実施するための最良の形態】
【００２９】
以下、図１から図４を参照し、本発明の第１の実施の形態について説明する。
図１は、本発明に係る５群のレンズ群からなるリアフォーカスレンズユニットを被写体側から見た分解斜視図であって、符号１はリアフォーカスレンズユニット（以下、レンズユニットという。）を、符号１０は被写体側に位置する第１の固定鏡筒を、符号２０はズーミングにより移動するＶ移動環（ズームレンズ移動環）を、符号３０は第２の固定鏡筒を、符号４０はフォーカシングにより移動するＦ移動環（フォーカスレンズ移動環）を、符号５０は結像側の第３の固定鏡筒を示している。
【００３０】
レンズユニット１は、被写体側に位置する第１の固定鏡筒１０と、ズームレンズを保持し光軸Ｌに沿って前後に移動可能とされるＶ移動環２０と、第２の固定鏡筒３０と、フォーカスレンズを保持し光軸Ｌに沿って前後に移動可能とされるＦ移動環４０と、結像側に位置する第３の固定鏡筒５０と、Ｖ移動環２０を前後方向に移動させるズームレンズ駆動モータ７０と、Ｆ移動環４０を前後方向に移動させるフォーカスレンズ駆動モータ８０とを備えている。
【００３１】
また、レンズユニット１の外形は、被写体側の光軸Ｌに垂直な面からみた場合に、投影される形状が光軸Ｌよりも下側の部分が矩形に、光軸Ｌよりも上側の部分が半円状に形成されている。
第１の固定鏡筒には被写体側の第１の固定レンズ１１が配置、固定され、同様に、第２の固定鏡筒３０には第２の固定レンズ３１が、第３の固定鏡筒５０には焦点合わせを補助する第３の固定レンズ５１が結像側に配置、固定されている。
また、被写体を撮像した光は、被写体側の第１の固定レンズ１１、ズームレンズ２１、第２の固定レンズ３１、フォーカスレンズ４１、第３の固定レンズ５１の順に導かれるようになっている。
【００３２】
ズームレンズ駆動モータ７０は、モータ本体７２と、スクリューシャフト７４とを備えている。
モータ本体７２は、レンズユニット１の光軸Ｌを通る垂直面（第１の基準面）で分割される左右の領域と光軸Ｌを通り垂直面と直交する水平面（第２の基準面）により分割される上下の領域に区画し被写体側から正面視した場合に、レンズユニット１の右側（垂直面の一方側）でかつ下側（第２の基準面の一方側）の結像側に固定され、スクリューシャフト７４がモータ本体７２から被写体側に延在するように配置されている。
また、スクリューシャフト７４は、Ｖ移動環２０のズームラック２４に光軸Ｌ方向にガタなく係合しており、ズームレンズ駆動モータ７０が駆動されスクリューシャフト７４が回転することによりズームラック２４に推進力を与え、Ｖ移動環２０を光軸Ｌ方向に沿って移動させるようになっている。
【００３３】
フォーカスレンズ駆動モータ８０は、モータ本体８２と、スクリューシャフト８４とを備えている。
モータ本体８２は、レンズユニット１を被写体側から正面視した場合に、レンズユニット１の左側でかつ下側の被写体側に固定され、スクリューシャフト８４がモータ本体８２から結像側に延在するように配置されている。
また、スクリューシャフト８４は、Ｆ移動環４０のズームラック４４に光軸Ｌ方向にガタなく係合しており、ズームレンズ駆動モータ８０が駆動されスクリューシャフト８４が回転することによりズームラック４４に推進力を与え、Ｆ移動環４０を光軸Ｌに沿って移動させるようになっている。
【００３４】
また、ズームレンズ駆動モータ７０及びフォーカスレンズ駆動モータ８０のモータ本体７２、８２は、その外形が、通常の円筒状に形成されたモータの上下面がＤカットされ、モータ本体７２、８２の上下方向の長さが左右方向の長さに対して短い小判形に形成されている。
【００３５】
また、第３の固定鏡筒５０には、第２の固定鏡筒３０側にアイリスユニット９０が設けられている。
アイリスユニット９０は、駆動部本体９２と、絞り機構とを備えている。
駆動部本体９２は、第３の固定鏡筒５０の上側の半円状の領域にてレンズユニット１を左右に分ける垂直な面（第１の基準）に関して略対称とされ、アイリスユニット９０の駆動部本体９２が結像側に配置されている。また、駆動部本体９２が配置される第３の固定鏡筒５０の上側壁部には、駆動部本体９２の外側形状に対応した凹部（逃し部）５５が形成され、駆動部本体９２が第３の固定鏡筒５０に半埋没状態に収納されている。
【００３６】
レンズユニット１には、Ｖ移動環２０とＦ移動環４０の移動を光軸Ｌに沿って方向に保持するために、光軸Ｌに関して左右対称の位置でかつ光軸Ｌよりわずかに上側の略同じ高さに、２本のガイドバー６５、６６が光軸Ｌと平行に延在して配置され、これらガイドバー６５、６６の一方端は第１の固定鏡筒のガイドバー固定部１７ａ、１７ｂに、他方端は第３の固定鏡筒５０の図示しないガイドバー固定部に固定されている。
ガイドバー６５は、Ｖ移動環２０に設けられガイドバー６５と同軸とされるスリーブ２５に挿入されるとともに、Ｆ移動環４０の振れ止め４５に摺動自在に係合している。
また、ガイドバー６６は、Ｆ移動環４０に設けられガイドバー６６と同軸とされるスリーブ４６に挿入されるとともに、Ｖ移動環２０の振れ止め２６に摺動自在に係合している。
Ｖ移動環２０のスリーブ２５とＦ移動環４０のスリーブ４６は、ガイドバー６５、６６に対して摺動自在とされ、被写体側から見た場合に、スリーブ２５とスリーブ４６は互いに左右反対側の位置に配置され、スリーブ２５は結像側に、スリーブ４６は被写体側にそれぞれ延在している。
【００３７】
また、第２の固定鏡筒３０には、位置決め孔（位置決め部材）３６、３８が貫通して形成されることによって、第１の固定鏡筒１０側に凹形状の位置決め孔３６ａ、３６ｂが、又第３の固定鏡筒５０側に凹形状の位置決め孔３８ａ、３８ｂが形成されている。
また、第１の固定鏡筒１０の後側（結像側）には、位置決め孔３６ａ、３６ｂに対応し、これらに係合可能な凸形状の位置決め部材１６、１８が設けられ、第３の固定鏡筒２０の前側（被写体側）には、位置決め孔３８ａ、３８ｂに挿嵌、係合可能な凸形状の位置決め部材５６、５８が設けられている。その結果、第１の固定鏡筒１０及び第３の固定鏡筒５０は、第２の固定鏡筒３０の対向する面に互いに係合可能に設けられた位置決め部材１６、１８、５６、５８と位置決め孔３６ａ、３６ｂ、３８ａ、３８ｂとが係合して第２の固定鏡筒３０と一体的に固定されるようになっている。
【００３８】
また、図１、図４に示すように、第１の固定鏡筒１０、第２の固定鏡筒３０、第３の固定鏡筒５０には、光軸Ｌに垂直な面からみた場合に、同一円周上において略等分配置される略正三角形の頂点をなす３ヶ所に、固定ネジ１２、１３、１４を挿入する貫通孔６２、６３、６４が形成されている。
貫通孔６２は、レンズユニット１の下側の矩形部分にて、ズームレンズ駆動モータ７０のモータ本体７２とフォーカスレンズ駆動モータ８０のモータ本体８２の中間位置に配置され、貫通孔６３、６４は光軸Ｌに対して左右対称の位置でかつ光軸Ｌの高さの近傍、やや上側のＣＣＤ（チャージカップルデバイス）面の外側に配置されている。
【００３９】
また、貫通孔６２と、貫通孔６３、貫通孔６４は、第１の固定鏡筒１０、第２の固定鏡筒３０、第３の固定鏡筒５０にそれぞれ同軸に配置され、３本の固定ネジ１２、１３、１４は、第１の固定鏡筒１０と第３の固定鏡筒５０とを、第２の固定鏡筒３０を挟む形で友締め締結し、固定されている。
【００４０】
なお、固定ネジ１２と固定ネジ１３、及び固定ネジ１２と固定ネジ１４を結ぶ線上又はその近傍にガイドバー６５、６６を位置させると力学的に安定してさらに好適である。
【００４１】
次に、このレンズユニット１の作用について説明する。
レンズユニット１は、ビデオカメラの構成ユニットとしてビデオカメラを構成し、操作者の指示又は図示しない制御部の演算結果による信号に基づいて、作動する。
まず、Ｖ移動環２０の動作について説明する。
操作者がビデオカメラのズームスイッチを操作すると、ズームレンズ駆動モータ７０が駆動しスクリューシャフト７４が回転する。
【００４２】
スクリューシャフト７４の回転は、スクリューシャフト７４が係合しているＶ移動環２０のズームラック２４に伝達されて、Ｖ移動環２０の光軸Ｌ方向の運動に変換される。
その結果、ビデオカメラのズーム倍率が変更され、被写体画像の大きさが変化する。
この場合、ビデオカメラに設けられたズームスイッチを正逆操作することによって、ズームレンズ駆動モータ７０が正逆回転しＶ移動環２０が、光軸Ｌに沿って被写体に対して進退しズーム倍率が変化する。
【００４３】
次いで、Ｆ移動環４０の動作について説明する。
ビデオカメラの光軸Ｌが被写体に向けられると、レンズユニット１を経由して図示しない制御部内に取り込まれた被写体の画像データを基に演算し、フォーカスレンズ駆動モータ８０が駆動しスクリューシャフト８４が回転する。
スクリューシャフト８４の回転は、スクリューシャフト８４が係合しているＦ移動環４０のズームラック４４に伝達されて、Ｆ移動環４０の光軸Ｌ方向の運動に変換される。
【００４４】
その結果、ビデオカメラに取り込まれる被写体の画像が変化し、制御部における演算結果を基に被写体にピントが合致する方向にＦ移動環４０が移動させられ、ピントが合ったところでフォーカスレンズ駆動モータ８０の駆動が停止される。
この場合、制御部がフォーカスレンズ駆動モータ８０に対して正逆回転の信号を送信しＦ移動環４０が、被写体に対して進退することで被写体にピントが合う適切なＦ移動環の位置が見出される。
【００４５】
上記実施の形態に係るレンズユニット１によれば、被写体側の正面から見た場合に、ズームレンズ駆動モータ７０のモータ本体７２と、フォーカスレンズ駆動モータ８０のモータ本体８２が、レンズユニット１の下側にて被写体側から見て右側と左側に配置され、さらに前後方向においても結像側と被写体側に配置されているため、モータ本体７２とモータ本体８２が左右方向の距離を小さくすることができる。
したがって、２つのモータ本体７２、８２の左右方向の間隔を小さくして、レンズユニット１の左右方向のサイズを小さくすることができる。
【００４６】
また、フォーカスレンズ駆動モータ８０のモータ本体８２を被写体側に配置することで、駆動モータ８０のスクリューシャフト８４とＦ移動環４０のフォーカスラック４４の距離が適度に確保され、無駄な長さを生じさせることなく係合、接続することができ、フォーカスレンズ駆動モータ８０をレンズユニット１の前側から突出させずにレンズユニット１の光軸Ｌ方向のサイズを小型化できる。
【００４７】
同様に、ズームレンズ駆動モータ７０のモータ本体７２を被写体側に配置することで、駆動モータ７０のスクリューシャフト７４とＶ移動環２０のフォーカスラック２４の距離が適度に確保され、無駄な長さを生じさせることなく係合、接続することができ、フォーカスレンズ駆動モータ７０をレンズユニット１の後側から突出させずにレンズユニット１の光軸Ｌ方向のサイズを小型化できる。
【００４８】
また、ズームレンズ駆動モータ７０及びフォーカスレンズ駆動モータ８０は、モータ本体７２、８２が小判形に形成されていて、丸型のモータに比較して反射ゴーストの発生が抑制されるため、駆動モータ７０、８０の上面と光軸Ｌとの間隔を確保し易く、モータ本体７２、８２を光軸Ｌに近接して配置することで上下方向のサイズを小型化できる。
【００４９】
また、レンズユニット１は、光軸Ｌに垂直な面から見た場合に、下側が矩形に形成され、かつ上側が半円状に形成されているので、ビデオカメラ等に組み込んだ際に、デッドスペースが小さく、また外側への凸部がほとんどないため収納性が良く、小型で、取扱性のよいビデオカメラを構成することができる。
【００５０】
また、アイリスユニット９０の駆動部９２が、第２の固定鏡筒３０の結像側にて第３の鏡筒５０上側の半円状の領域に略左右対称に配置されているので、外形を小型にしても有害な反射ゴーストが発生しにくく、また、アイリスユニット９０の概ね全体が半円状の領域内に収納されているのでビデオカメラ等に組み込んだ場合に外側への凸部がほとんどなくビデオカメラ等としての収納性や取扱性が向上する。
また、アイリスユニット９０の駆動部本体９２が第３の固定鏡筒５０の形成された凹部５５に半埋没状態で収納されるので、第３の固定鏡筒５０の高さを、最大で第３の固定鏡筒５０の壁部の肉厚分だけ低くしてレンズユニット１を小型化することができる。
【００５１】
また、ガイドバー６５、６６の一方端が第１の固定鏡筒１０に、他方端が第３の固定鏡筒５０に固定されているので両端において確実に固定され、構造が簡単で精度及び信頼性が高く、かつ組立性が良い。
また、２本のガイドバー６５、６６が、光軸Ｌに関して左右対称かつレンズの光軸Ｌ近傍の高さにて、光軸Ｌに平行に配置されているので、Ｖ移動環２０とＦ移動環４０の移動が光軸Ｌに沿って正確かつスムースに保持される。
【００５２】
Ｖ移動環２０とＦ移動環４０が、２本のガイドバー６５、６６に、スリーブ２５とスリーブ４６をそれぞれ係合させつつ動くので正確、かつスムースな動作が可能となり、ガイドバー６５、６６と交差する方向の外力にも影響を受け難い。
また、Ｖ移動環２０のスリーブ２５とＦ移動環４０のスリーブ４６は、被写体側から見た場合に、スリーブ２５とスリーブ４６は左右反対側の位置にて、互いの側に延在しているので、スリーブの長さを確保しつつ、レンズユニット１を小型化できる。
【００５３】
また、第２の固定鏡筒３０に凹状の位置決め孔３６ａ、３６ｂ、３８ａ、３８ｂが形成され、それらと同軸的に設けられた第１の固定鏡筒１０及び第３の固定鏡筒５０の位置決め部材１６、１８、５６、５８が相互に係合して位置決めされているので位置決めの配置スペースを小さくすることができる。
また、隣り合う固定鏡筒の相互の位置関係を、位置決め孔３６ａ、３６ｂ、３８ａ、３８ｂと位置決め部材１６、１８、５６、５８によって正確かつ確実に確保することができる。
【００５４】
また、第２の固定鏡筒３０における位置決めが両面とも凹状の位置決め孔３６ａ、３６ｂ、３８ａ、３８ｂとして構成され、第１の固定鏡筒１０、第３の固定鏡筒５０の両側から凸形状の位置決め部材１６、１８、５６、５８で位置決めされるので、位置決め部材１６、１８、５６、５８の長さを短く設定でき、位置決め部材１６、１８、５６、５８の破損を抑制することができる。また、位置決めが相互に係合する凸又は凹形状により構成されているので、組立作業示の位置決めが容易で、かつ高い位置精度が得られる。
【００５５】
また、第１の固定鏡筒１０と、第２の固定鏡筒３０と、第３の固定鏡筒５０とが、それぞれを貫通する３本の固定ネジ１２、１３、１４にて友締め状態にて締結されるので、光軸Ｌに沿った方向に各固定鏡筒が強固に締結、固定され、高い信頼性を得ることができる。
また、第１の固定鏡筒１０と第３の固定鏡筒５０とで、第２の固定鏡筒３０を挟んで固定ネジ１２、１３、１４で友締め締結しているので、最小のスペースでレンズユニット１が一体に固定可能である。
【００５６】
また、３本の固定ネジ１２、１３、１４の配置が略正三角形とされているので、それぞれの固定ネジ１２、１３、１４にかかる外力や振動を分散して力学的に安定しているので各駆動モータによる駆動力や振動が発生しても、レンズユニット１が堅固に固定されるとともに、相互のネジ間ピッチが確保でき組立性が良好である。
【００５７】
固定ネジ１２がズームレンズ駆動モータ７０とフォーカスレンズ駆動モータ８０の中間に配置されているので、駆動モータ７０、８０の駆動による外力及びモータ７０、８０の回転による振動等を効率的に抑制し、レンズユニット１の固定が安定して保持される。また、駆動モータ７０、８０の一方のみが駆動した場合であっても、上記の外力の影響を１本のネジ１２で効率的に抑制することができる。
また、固定ネジ１３、１４がＣＣＤ（チャージカップルデバイス）面の外側に配置されるので、コンパクトな横幅の中で固定ネジ１３、１４の下穴ボスを配置しても有害な反射ゴーストを抑制することができる。
【００５８】
また、固定ネジ１３、１４と固定ネジ１２とを結んだ線上又はその近傍にガイドバー６５、６６を配置することで、光軸Ｌに垂直な面からみた場合にガイドバー６５、６６を両側にて固定することができるので、ガイドバー６５、６６に生じる摺動抵抗や振動の影響を極力小さくすることができる。
【００５９】
なお、本発明の技術的範囲は上記実施の形態に限定されるものではなく、本発明の趣旨を逸脱しない範囲において、種々の変更を加えることも可能である。
例えば、上記実施の形態においては、第３の固定鏡筒５０に第３の固定レンズ５１が保持された５群レンズユニットの場合について説明したが、第３の固定鏡筒５０が固定レンズを備えていない４群レンズユニットに適用してもよい。
また、レンズユニット１が第１の基準面によって左右に区切られ、第２の基準面によって上下に区切られレンズユニット１の上側が半円状に下側が矩形の場合について説明したが、左右方向の一方側が半円状で他方側が矩形とされてもよい。
【００６０】
また、ズームレンズ駆動モータ７０とフォーカスレンズ駆動モータ８０のモータ本体７２、８２のいずれかのみが、小判形に構成されてもよい。
また、Ｖ移動環２０では、ガイドバー６５、６６のうちガイドバー６５のみが、スリーブ２５に挿入される場合について説明したが、ガイドバー６５、６６とともに係合可能なように２つのスリーブを設けてもよく、このことはＦ移動環４０に関しても同様である。
【００６１】
また、上記実施の形態においては、第２の固定鏡筒３０に、凹形状の位置決め孔３６ａ、３６ｂ、３８ａ、３８ｂが形成されるとともに、第１の固定鏡筒１０及び第３の固定鏡筒５０の対応する位置に凸形状の位置決め部材１６、１８、５６、５８が配置されている場合について説明したが、位置決め部材の凹凸は係合可能な範囲で自在に組合せることができる。
また、アイリスユニット９０の駆動部本体９２が第３の固定鏡筒５０の形成された凹部５５に半埋没状態で収納される場合について説明したが、第２の固定鏡筒３０の壁部に凹部５５を形成させ、または、第２の固定鏡筒３０と第３の固定鏡筒５０の壁部の双方に亘って凹部５５を形成させて半埋没状態で収納させてもよい。
【図面の簡単な説明】
【００６２】
【図１】本発明に係る一実施形態のリアフォーカスレンズユニットを被写体側から見た分解斜視図である。
【図２】本発明に係る一実施形態の第１の固定鏡筒を結像側から見た図である。
【図３】本発明に係る一実施形態のリアフォーカスレンズユニットを被写体側から見た図である。
【図４】本発明に係る一実施形態のリアフォーカスレンズユニットを結像側から見た図である。
【図５】従来技術に係るリアフォーカスレンズユニットを被写体側から見た分解斜視図である。
【符号の説明】
【００６３】
１  リアフォーカスレンズユニット
１０  第１の固定鏡筒
１１  第１の固定レンズ
１２、１３、１４  固定ネジ
２０  Ｖ移動環（ズームレンズ移動環）
２１  ズームレンズ
２５、４６  スリーブ
３０  第２の固定鏡筒
３１  第２の固定レンズ
４０  Ｆ移動環（フォーカスレンズ移動環）
４１  フォーカスレンズ
５０  第３の固定鏡筒
５５  凹部（逃し部）
６５、６６  ガイドバー
７０  ズームレンズ駆動モータ
７２  ズームレンズ駆動モータ本体
８０  フォーカスレンズ駆動モータ
８２  フォーカスレンズ駆動モータ本体
９０  アイリスユニット
Ｌ  光軸
【図１】
2006064838.tif 000003
【図２】
2006064838.tif 000004
【図３】
2006064838.tif 000005
【図４】
2006064838.tif 000006
【図５】
2006064838.tif 000007